(57)【特許請求の範囲】
【請求項１】
無線基地局装置と、携帯端末と、認証端末と、前記携帯端末のユーザ認証用データを作成・削除する機能を有するコントローラと、前記携帯端末と通信ネットワークとの間にてデータを中継する超小型無線基地局装置を有するワイヤレス通信ネットワークシステムにおいて、
前記コントローラは、前記認証端末から入力された利用要求を受け入れるか否かを判定し、受け入れる場合には前記ユーザ認証用データを、受け入れない場合には拒絶通知を、前記認証端末を介して前記携帯端末に送信し、
前記携帯端末から前記認証端末を介してユーザ認証用データ受信完了通知を受けた場合、前記認証端末を介して前記携帯端末にユーザ登録手続完了通知を送信し、ユーザに対する利用料金の課金処理を行い、
前記超小型無線基地局装置は、前記ユーザ認証用データが添付された位置登録要求データを前記携帯端末から受信し、当該位置登録要求データ内のユーザ認証用データおよび端末情報と前記コントローラ内のデータベースとを照合し、一致した場合に位置登録を行い、前記携帯端末およびコントローラに対し、位置登録完了通知を送信し、
位置登録完了通知を受信した携帯端末と超小型無線基地局装置間の無線通信が開始されることを特徴とするワイヤレス通信ネットワークシステム。
【請求項２】
前記携帯端末は、前記超小型無線基地局装置又は前記オーダリング端末を介して前記コントローラに対し、利用終了要求データを送信し、
前記コントローラは、前記利用終了通知を受信した携帯端末の位置登録を解除し、前記ユーザ認証用データを無効化し、前記携帯端末に対し、前記超小型無線基地局装置若しくは前記オーダリング端末を介して利用終了手続完了通知を送信し、
前記コントローラは、利用料金の精算が後払いである場合、利用ユーザに対して当該利用料金の課金処理を行い、前記利用終了手続完了通知の送信と共に利用料金明細データを前記携帯端末に送信し、
前記携帯端末は、前記ユーザ認証用データを無効化し、ホットスポットとの通信を終了することを特徴とする請求項１記載のワイヤレス通信ネットワークシステム。
【請求項３】
無線基地局装置と、携帯端末と、認証端末と、前記携帯端末のユーザ認証用データを作成・削除する機能を有するコントローラと、前記携帯端末と通信ネットワークとの間にてデータを中継する超小型無線基地局装置を有するワイヤレス通信ネットワークシステムにおいて、
前記コントローラは、
前記認証端末から入力された利用要求を受け入れるか否かを判定し、受け入れる場合には前記ユーザ認証用データを、受け入れない場合には拒絶通知を、前記認証端末を介して前記携帯端末に送信し、
前記携帯端末から前記認証端末を介してユーザ認証用データ受信完了通知を受けた場合、前記携帯端末に前記認証端末を介して前記超小型無線基地局装置及び前記携帯端末間における無線通信用の暗号化情報データを送信し、
前記携帯端末から前記認証端末を介して暗号化情報受信完了通知を受けた場合、前記認証端末を介して前記携帯端末に、ユーザ登録手続完了通知を送信し、ユーザに対する利用料金の課金処理を行うことを特徴とするワイヤレス通信ネットワークシステム。
【請求項４】
前記超小型無線基地局装置は、前記ユーザ認証用データが添付された位置登録要求データを前記携帯端末から受信し、当該位置登録要求データ内のユーザ認証用データおよび端末情報と前記コントローラ内のデータベースとを照合し、一致した場合に位置登録を行い、前記携帯端末およびコントローラに対し、位置登録完了通知を送信し、
前記暗号化情報データに基づいて、位置登録完了通知を受信した携帯端末と超小型無線基地局装置間の無線通信が開始されることを特徴とする請求項３記載のワイヤレス通信ネットワークシステム。
【請求項５】
前記携帯端末は、前記超小型無線基地局装置又は前記オーダリング端末を介して前記コントローラに対し、利用終了要求データを送信し、
前記コントローラは、前記利用終了通知を受信した携帯端末の位置登録を解除し、前記ユーザ認証用データ及び前記暗号化情報データを無効化し、前記携帯端末に対し、前記超小型無線基地局装置若しくは前記オーダリング端末を介して利用終了手続完了通知を送信し、
前記コントローラは、利用料金の精算が後払いである場合、利用ユーザに対して当該利用料金の課金処理を行い、前記利用終了手続完了通知の送信と共に利用料金明細データを前記携帯端末に送信し、
前記携帯端末は、前記ユーザ認証用データ及び前記暗号化情報データを無効化し、ホットスポットとの通信を終了することを特徴とする請求項４記載のワイヤレス通信ネットワークシステム。
【請求項６】
認証端末と超小型無線基地局に接続され、携帯端末と通信ネットワークとの間にてデータを中継するワイヤレス通信ネットワークシステムのコントローラであって、
前記携帯端末のユーザ認証用データを作成・削除する機能を有し、
前記認証端末から入力された利用要求を受け入れるか否かを判定し、受け入れる場合には前記ユーザ認証用データを、受け入れない場合には拒絶通知を、前記認証端末を介して前記携帯端末に送信し、
前記携帯端末から前記認証端末を介してユーザ認証用データ受信完了通知を受けた場合、前記携帯端末に前記認証端末を介して前記超小型無線基地局装置及び前記携帯端末間における無線通信用の暗号化情報データを送信し、
前記携帯端末から前記認証端末を介して暗号化情報受信完了通知を受けた場合、前記認証端末を介して前記携帯端末に、ユーザ登録手続完了通知を送信し、ユーザに対する利用料金の課金処理を行うことを特徴とするコントローラ。
【請求項７】
通信ネットワークを介して携帯端末と超小型無線基地局装置との間に構築されるワイヤレス通信ネットワークシステムにおける通信サービス提供方法において、
前記超小型無線基地局装置に接続された認証端末から入力された利用要求を受け入れるか否かを判定し、受け入れる場合には前記ユーザ認証用データを、受け入れない場合には拒絶通知を、前記認証端末を介して前記携帯端末に送信するステップと、
前記ユーザ認証用データを受けた場合、前記超小型無線基地局装置に接続されたコントローラに対して前記認証端末を介してユーザ認証用データ受信完了通知を送信するステップと、
前記ユーザ認証用データ受信完了通知を受けた場合、前記超小型無線基地局装置と前記携帯端末間における無線通信用の暗号化情報データを前記認証端末を介して前記携帯端末へ送信するステップと、
前記暗号化情報データを受け、前記認証端末を介して前記コントローラに暗号化情報受信完了通知を送信するステップと、
前記暗号化情報受信完了通知を受け、前記認証端末を介して前記携帯端末にユーザ登録手続完了通知を送信し、ユーザに対する利用料金の課金処理を行うステップ
を有することを特徴とするワイヤレス通信ネットワークシステムにおける通信サービス提供方法。
【請求項８】
前記携帯端末から前記ユーザ認証用データ及び端末情報を含む位置登録要求データを送信するステップと、
前記送信された位置登録要求データ内のユーザ認証用データ及び端末情報と前記コントローラ内のデータベースとを照合するステップと、
一致した場合に位置登録を行い、前記携帯端末および前記コントローラに対し、位置登録完了通知を送信するステップと、
位置登録完了通知を受信した携帯端末と超小型無線基地局装置間の無線通信を開始するステップを有することを特徴とする請求項７記載のワイヤレス通信ネットワークシステムにおける通信サービス提供方法。
【請求項９】
前記携帯端末から前記コントローラへ利用終了要求データを送信するステップと、
前記コントローラからの利用終了通知を受信した携帯端末の位置登録を解除するステップと、
前記ユーザ認証用データ及び前記暗号化情報データを無効化するステップと、
前記携帯端末に対して利用終了手続完了通知を送信するステップと、
利用料金の精算が後払いである場合、利用ユーザに対して当該利用料金の課金処理を行うステップと、
前記利用終了手続完了通知と共に利用料金明細データを前記携帯端末に送信するステップと、
利用終了手続完了通知を受信後、前記ユーザ認証用データ及び前記暗号化情報データを無効化し、通信を終了するステップ
をさらに有することを特徴とする請求項８記載のワイヤレス通信ネットワークシステムにおける通信サービス提供方法。
【請求項１０】
前記通信ネットワークがインターネット、イントラネット、又はＬＡＮであることを特徴とする請求項７〜９のいずれかに記載のワイヤレス通信ネットワークシステムにおける通信サービス提供方法。
【請求項１１】
コンピュータに、通信ネットワークを介して携帯端末と超小型無線基地局装置との間に構築されるワイヤレス通信ネットワークシステムにおける通信サービス提供処理を実行させるプログラムであって、
前記超小型無線基地局装置に接続された認証端末から入力された利用要求を受け入れるか否かを判定し、受け入れる場合には前記ユーザ認証用データを、受け入れない場合には拒絶通知を、前記認証端末を介して前記携帯端末に送信するステップと、
前記ユーザ認証用データを受けた場合、前記超小型無線基地局装置に接続されたコントローラに対して前記認証端末を介してユーザ認証用データ受信完了通知を送信するステップと、
前記ユーザ認証用データ受信完了通知を受けた場合、前記超小型無線基地局装置と前記携帯端末間における無線通信用の暗号化情報データを前記認証端末を介して前記携帯端末へ送信するステップと、
前記暗号化情報データを受け、前記認証端末を介して前記コントローラに暗号化情報受信完了通知を送信するステップと、
前記暗号化情報受信完了通知を受け、前記認証端末を介して前記携帯端末にユーザ登録手続完了通知を送信し、ユーザに対する利用料金の課金処理を行うステップ
を実行させることを特徴とするプログラム。
【請求項１２】
前記携帯端末から前記ユーザ認証用データ及び端末情報を含む位置登録要求データを送信するステップと、
前記送信された位置登録要求データ内のユーザ認証用データ及び端末情報と前記コントローラ内のデータベースとを照合するステップと、
一致した場合に位置登録を行い、前記携帯端末および前記コントローラに対し、位置登録完了通知を送信するステップと、
位置登録完了通知を受信した携帯端末と超小型無線基地局装置間の無線通信を開始するステップをさらに実行させることを特徴とする請求項１１記載のプログラム。
【請求項１３】
前記携帯端末から前記コントローラへ利用終了要求データを送信するステップと、
前記コントローラからの利用終了通知を受信した携帯端末の位置登録を解除するステップと、
前記ユーザ認証用データ及び前記暗号化情報データを無効化するステップと、
前記携帯端末に対して利用終了手続完了通知を送信するステップと、
利用料金の精算が後払いである場合、利用ユーザに対して当該利用料金の課金処理を行うステップと、
前記利用終了手続完了通知と共に利用料金明細データを前記携帯端末に送信するステップと、
利用終了手続完了通知を受信後、前記ユーザ認証用データ及び前記暗号化情報データを無効化し、通信を終了するステップをさらに実行させることを特徴とする請求項１２記載のプログラム。
【発明の詳細な説明】
【技術分野】  本発明は、携帯電話を用いたワイヤレス通信ネットワークシステムに関し、特にホットスポットとして超小型無線基地局を使用する際に必要なユーザ認証作業を簡略化し、かつ通信の秘匿性の向上を図ることができるワイヤレス通信ネットワークシステム、当該システムにおける通信サービス提供方法、プログラム、及び記録媒体に関する。
【背景技術】  携帯電話システムにおいて、特定ユーザ向け超小型無線基地局を設置・運用しユーザ認証を行う際、従来の技術の問題点について図１を参照して説明する。
セルラー携帯電話システムの無線基地局装置１にて構成されるセル１１の中に、例えばホットスポットのような特定ユーザ向けの超小型無線基地局装置２にて構成される超小型セル１２が存在する。携帯端末３はセル１１に位置登録をしている。携帯端末３が超小型セル１２近辺に移動することで、携帯端末３はこの超小型無線基地局装置２にハンドオーバーを試みる。
尚、上記した従来システムに関連ある文献として特開２００２−３１５０５８号公報を参照されたい。
上記した従来の携帯電話システムにおいては、以下のような課題がある。
第１の課題は、この超小型セル１２は特定ユーザ向けであり、携帯端末３を使用しているユーザを識別し登録もしくは拒絶する必要がある。ホットスポットの超小型無線基地局装置２にユーザ登録を行う場合、上記した特許文献においては、使用する携帯端末をあらかじめ会員登録しておき、さらにレジにて受け取った認証パスワードをユーザ自身がｗｅｂにて入力する必要があり、不特定多数を対象とするようなホットスポットには不向きである。
第２の課題は、どうしてもＡＤＳＬや光ファイバー通信などと比較すると、通信料金が高価であり、ホットスポットのような超小型無線基地局など小規模で安価な通信システムを構築する必要がある。
第３の課題は、Ｗ−ＣＤＭＡなどに代表される無線通信方式には、秘匿性の問題がかならず発生し、暗号化処理を強化する必要がある。
また、ホットスポットのような使用法にて超小型無線基地局を使用し、この超小型無線基地局装置を使用するユーザを限定したい場合、隣接セルに位置するユーザからのハンドオーバーを何らかの形で登録もしくは拒絶する必要がある。従来の携帯電話システムでは、上位装置により、不特定多数のユーザのハンドオーバーを許容するようになっていて、超小型無線基地局装置側で柔軟に対応できない。
従来の課金システムを用いて携帯電話にてインターネット網に接続すると、固定電話、ＡＤＳＬや光ファイバー通信などと比較し、通信料金が割高になり、ユーザにとって大きな負担となっている。
さらに、携帯電話システムで使用する通信方式には、通信規格（例えば、Ｗ−ＣＤＭＡでは３ＧＰＰ）が定められていて、この規格の中で通信を行うため、例えデータを送受信する際に規格で定められた強固な暗号化を施しても、絶対に解読される可能性はないとは言えない。
従って本発明の目的は、安価で、秘匿性があり、ホットスポットのように手軽にインターネットにアクセスできるような、ワイヤレス通信ネットワークシステム、当該システムにおける通信サービス提供方法、プログラム、及び記録媒体を提供することにある。
【発明の開示】
本発明では、上記課題を解決するために、携帯電話を用いたワイヤレス通信ネットワークシステムにおいて、赤外線通信もしくはＩＣカードを用いた通信にて、ユーザ認証データと端末情報、暗号化情報を入手し、この入手した情報を元にホットスポットのような超小型無線基地局に位置登録要求を行い、超小型無線基地局装置と通信する端末との通信を制御する。
ここで、本件発明は以下の特徴を有する課題を解決するための手段を採用している。
第１の態様では、無線基地局装置と、携帯端末と、認証端末と、前記携帯端末のユーザ認証用データを作成・削除する機能を有するコントローラと、前記携帯端末と通信ネットワークとの間にてデータを中継する超小型無線基地局装置を有するワイヤレス通信ネットワークシステムにおいて、
前記コントローラは、前記認証端末から入力された利用要求を受け入れるか否かを判定し、受け入れる場合には前記ユーザ認証用データを、受け入れない場合には拒絶通知を、前記認証端末を介して前記携帯端末に送信し、
前記携帯端末からユーザ認証用データ受信完了通知を受けた場合、前記認証端末を介して前記携帯端末にユーザ登録手続完了通知を送信し、ユーザに対する利用料金の課金処理を行う。
第２の態様では、前記超小型無線基地局装置が、
前記ユーザ認証用データが添付された位置登録要求データを前記携帯端末から受信し、当該位置登録要求データ内のユーザ認証用データおよび端末情報と前記コントローラ内のデータベースとを照合し、一致した場合に位置登録を行い、前記携帯端末およびコントローラに対し、位置登録完了通知を送信し、
位置登録完了通知を受信した携帯端末と超小型無線基地局装置間の無線通信が開始される。
第３の態様では、前記携帯端末が、
前記超小型無線基地局装置又は前記オーダリング端末を介して前記コントローラに対し、利用終了要求データを送信し、
前記コントローラは、前記利用終了通知を受信した携帯端末の位置登録を解除し、前記ユーザ認証用データを無効化し、前記携帯端末に対し、前記超小型無線基地局装置若しくは前記オーダリング端末を介して利用終了手続完了通知を送信し、
前記コントローラは、利用料金の精算が後払いである場合、利用ユーザに対して当該利用料金の課金処理を行い、前記利用終了手続完了通知の送信と共に利用料金明細データを前記携帯端末に送信し、
前記携帯端末は、前記ユーザ認証用データを無効化し、ホットスポットとの通信を終了する。
第４の態様では、前記携帯端末と前記認証端末との間における前記データの送受信が無線通信以外の通信方式を用いて行われる。
第５の態様では、前記無線通信以外の通信方式が赤外線通信もしくはＩＣカードを用いた通信である。
第６の態様では、無線基地局装置と、携帯端末と、認証端末と、前記携帯端末のユーザ認証用データを作成・削除する機能を有するコントローラと、前記携帯端末と通信ネットワークとの間にてデータを中継する超小型無線基地局装置を有するワイヤレス通信ネットワークシステムにおいて、
前記コントローラが、
前記認証端末から入力された利用要求を受け入れるか否かを判定し、受け入れる場合には前記ユーザ認証用データを、受け入れない場合には拒絶通知を、前記認証端末を介して前記携帯端末に送信し、
前記携帯端末からユーザ認証用データ受信完了通知を受けた場合、前記携帯端末に前記超小型無線基地局装置及び前記携帯端末間における無線通信用の暗号化情報データを送信し、
前記携帯端末から暗号化情報受信完了通知を受けた場合、前記認証端末を介して前記携帯端末に、ユーザ登録手続完了通知を送信し、ユーザに対する利用料金の課金処理を行う。
第７の態様では、前記超小型無線基地局装置が、
前記ユーザ認証用データが添付された位置登録要求データを前記携帯端末から受信し、当該位置登録要求データ内のユーザ認証用データおよび端末情報と前記コントローラ内のデータベースとを照合し、一致した場合に位置登録を行い、前記携帯端末およびコントローラに対し、位置登録完了通知を送信し、
前記暗号化情報データに基づいて、位置登録完了通知を受信した携帯端末と超小型無線基地局装置間の無線通信が開始される。
第８の態様では、前記携帯端末が、
前記超小型無線基地局装置又は前記オーダリング端末を介して前記コントローラに対し、利用終了要求データを送信し、
前記コントローラは、前記利用終了通知を受信した携帯端末の位置登録を解除し、前記ユーザ認証用データ及び前記暗号化情報データを無効化し、前記携帯端末に対し、前記超小型無線基地局装置若しくは前記オーダリング端末を介して利用終了手続完了通知を送信し、
前記コントローラは、利用料金の精算が後払いである場合、利用ユーザに対して当該利用料金の課金処理を行い、前記利用終了手続完了通知の送信と共に利用料金明細データを前記携帯端末に送信し、
前記携帯端末は、前記ユーザ認証用データ及び前記暗号化情報データを無効化し、ホットスポットとの通信を終了する。
第９の態様では、前記通信ネットワークがインターネット、イントラネット、又はＬＡＮである。
第１０の態様では、認証端末と超小型無線基地局に接続され、携帯端末と通信ネットワークとの間にてデータを中継するワイヤレス通信ネットワークシステムのコントローラであって、
前記携帯端末のユーザ認証用データを作成・削除する機能を有し、
前記認証端末から入力された利用要求を受け入れるか否かを判定し、受け入れる場合には前記ユーザ認証用データを、受け入れない場合には拒絶通知を、前記認証端末を介して前記携帯端末に送信し、
前記携帯端末からユーザ認証用データ受信完了通知を受けた場合、前記認証端末を介して前記携帯端末にユーザ登録手続完了通知を送信し、ユーザに対する利用料金の課金処理を行う。
第１１の態様では、認証端末と超小型無線基地局に接続され、携帯端末と通信ネットワークとの間にてデータを中継するワイヤレス通信ネットワークシステムのコントローラであって、
前記携帯端末のユーザ認証用データを作成・削除する機能を有し、
前記認証端末から入力された利用要求を受け入れるか否かを判定し、受け入れる場合には前記ユーザ認証用データを、受け入れない場合には拒絶通知を、前記認証端末を介して前記携帯端末に送信し、
前記携帯端末からユーザ認証用データ受信完了通知を受けた場合、前記携帯端末に前記超小型無線基地局装置及び前記携帯端末間における無線通信用の暗号化情報データを送信し、
前記携帯端末から暗号化情報受信完了通知を受けた場合、前記認証端末を介して前記携帯端末に、ユーザ登録手続完了通知を送信し、ユーザに対する利用料金の課金処理を行う。
第１２の態様では、通信ネットワークを介して携帯端末と超小型無線基地局装置との間に構築されるワイヤレス通信ネットワークシステムにおける通信サービス提供方法において、
前記超小型無線基地局装置に接続された認証端末から入力された利用要求を受け入れるか否かを判定し、受け入れる場合には前記ユーザ認証用データを、受け入れない場合には拒絶通知を、前記認証端末を介して前記携帯端末に送信するステップと、
前記ユーザ認証用データを受けた場合、前記超小型無線基地局装置に接続されたコントローラに対してユーザ認証用データ受信完了通知を送信するステップと、
前記ユーザ認証用データ受信完了通知を受けた場合、前記超小型無線基地局装置と前記携帯端末間における無線通信用の暗号化情報データを前記携帯端末へ送信するステップと、
前記暗号化情報データを受け、前記認証端末を介して前記コントローラに暗号化情報受信完了通知を送信するステップと、
前記暗号化情報受信完了通知を受け、前記認証端末を介して前記携帯端末にユーザ登録手続完了通知を送信し、ユーザに対する利用料金の課金処理を行うステップ
を有する。
第１３の態様では、前記携帯端末から前記ユーザ認証用データ及び端末情報を含む位置登録要求データを送信するステップと、
前記送信された位置登録要求データ内のユーザ認証用データ及び端末情報と前記コントローラ内のデータベースとを照合するステップと、
一致した場合に位置登録を行い、前記携帯端末および前記コントローラに対し、位置登録完了通知を送信するステップと、
位置登録完了通知を受信した携帯端末と超小型無線基地局装置間の無線通信を開始するステップを有する。
第１４の態様では、前記携帯端末から前記コントローラへ利用終了要求データを送信するステップと、
前記コントローラからの利用終了通知を受信した携帯端末の位置登録を解除するステップと、
前記ユーザ認証用データ及び前記暗号化情報データを無効化するステップと、
前記携帯端末に対して利用終了手続完了通知を送信するステップと、
利用料金の精算が後払いである場合、利用ユーザに対して当該利用料金の課金処理を行うステップと、
前記利用終了手続完了通知と共に利用料金明細データを前記携帯端末に送信するステップと、
利用終了手続完了通知を受信後、前記ユーザ認証用データ及び前記暗号化情報データを無効化し、通信を終了するステップを有する。
第１５の態様では、請求項１５に記載された発明は、前記通信ネットワークがインターネット、イントラネット、又はＬＡＮであることを特徴とする。
第１６の態様では、コンピュータに、通信ネットワークを介して携帯端末と超小型無線基地局装置との間に構築されるワイヤレス通信ネットワークシステムにおける通信サービス提供処理を実行させるプログラムであって、
前記超小型無線基地局装置に接続された認証端末から入力された利用要求を受け入れるか否かを判定し、受け入れる場合には前記ユーザ認証用データを、受け入れない場合には拒絶通知を、前記認証端末を介して前記携帯端末に送信するステップと、
前記ユーザ認証用データを受けた場合、前記超小型無線基地局装置に接続されたコントローラに対してユーザ認証用データ受信完了通知を送信するステップと、
前記ユーザ認証用データ受信完了通知を受けた場合、前記超小型無線基地局装置と前記携帯端末間における無線通信用の暗号化情報データを前記携帯端末へ送信するステップと、
前記暗号化情報データを受け、前記認証端末を介して前記コントローラに暗号化情報受信完了通知を送信するステップと、
前記暗号化情報受信完了通知を受け、前記認証端末を介して前記携帯端末にユーザ登録手続完了通知を送信し、ユーザに対する利用料金の課金処理を行うステップを実行させる。
第１７の態様では、前記携帯端末から前記ユーザ認証用データ及び端末情報を含む位置登録要求データを送信するステップと、
前記送信された位置登録要求データ内のユーザ認証用データ及び端末情報と前記コントローラ内のデータベースとを照合するステップと、
一致した場合に位置登録を行い、前記携帯端末および前記コントローラに対し、位置登録完了通知を送信するステップと、
位置登録完了通知を受信した携帯端末と超小型無線基地局装置間の無線通信を開始するステップをさらに実行させる。
第１８の態様では、前記携帯端末から前記コントローラへ利用終了要求データを送信するステップと、
前記コントローラからの利用終了通知を受信した携帯端末の位置登録を解除するステップと、
前記ユーザ認証用データ及び前記暗号化情報データを無効化するステップと、
前記携帯端末に対して利用終了手続完了通知を送信するステップと、
利用料金の精算が後払いである場合、利用ユーザに対して当該利用料金の課金処理を行うステップと、
前記利用終了手続完了通知と共に利用料金明細データを前記携帯端末に送信するステップと、
利用終了手続完了通知を受信後、前記ユーザ認証用データ及び前記暗号化情報データを無効化し、通信を終了するステップをさらに実行させる。
第１９の態様では、前記プログラムを記録したことを特徴とするコンピュータ読取可能な情報記録媒体（コンパクトディスク、フレキシブルディスク、ハードディスク、光磁気ディスク、ディジタルビデオディスク、磁気テープ、または、半導体メモリを含む。）である。
【図面の簡単な説明】  図１は、セルラー携帯電話システムの構成を示した図である。
図２は、本発明の一実施の形態に係るシステムにおける超小型セルの構成を示した図である。
図３は、本発明の一実施の形態に係るシステムにおけるユーザ認証処理の動作を説明するためのシーケンス図である。
図４は、本発明の一実施の形態に係るシステムにおけるユーザ認証処理の動作を説明するためのシーケンス図である。
図５は、本発明の一実施の形態に係るシステムにおけるユーザ認証処理の動作を説明するためのシーケンス図である。
図６は、本発明の他の実施の形態に係るシステムにおける超小型セルの構成を示した図である。
図７は、本発明の他の実施の形態に係るシステムにおけるユーザ認証処理の動作を説明するためのシーケンス図である。
図８は、本発明の他の実施の形態に係るシステムにおけるユーザ認証処理の動作を説明するためのシーケンス図である。
図９は、本発明の他の実施の形態に係るシステムにおけるユーザ認証処理の動作を説明するためのシーケンス図である。
【発明を実施するための最良の形態】  以下、図面を参照して本発明の実施の形態について説明する。
本発明は、携帯電話を用いたワイヤレスインターネットシステムにおいて、ホットスポットのとして超小型無線基地局を使用する際に必要なユーザ認証作業を、簡略化し、かつ通信の秘匿性を高めたことを特徴としている。
図１、２を用いて、本発明の特徴を説明する。図１に示すように、セルラー携帯電話システムの無線基地局装置１にて構成されるセル１１と、セル１１の中に存在する超小型無線基地局装置２にて構成される超小型セル１２が存在する。超小型セル１２は例えばホットスポットのような特定ユーザ向けに高速インターネット接続環境を安価で提供するようなセルとする。セル１１に位置登録している携帯端末３が超小型セル１２近辺へ移動する、もしくはホットスポットを利用するために、携帯端末３はこの超小型無線基地装置２にハンドオーバーを試みる。
図１を参照すると、本発明の一実施例として超小型無線基地局装置をホットスポットとして営利目的で利用する際の実施例が示されている。セルラー携帯電話システムの無線基地局装置１にて構成されるセル１１と、セル１１中に存在する超小型無線基地局装置２にて構成される超小型セル１２が存在する。
本実施の形態では、超小型セル１２は営利目的のホットスポットのような特定ユーザ向けに高速インターネット接続環境を安価で提供するようなセルとする。セル１１に位置登録している携帯端末３が超小型セル１２近辺へ移動する、もしくはホットスポットを利用するために、携帯端末３はこの超小型無線基地局装置２にハンドオーバーを試みる。このハンドオーバーは、当業者にとってよく知られており、また本発明とは直接関係しないので、その詳細な構成は省略する。
図２には、超小型セル１２の詳細構成が示されている。超小型無線基地局装置２は高速無線通信に対応した無線基地局であり、オーダリング端末２１とコントローラ２２に接続し、インターネットへはネットワーク接続機器２３経由で接続し、携帯端末３とインターネット網２４の間にてデータを中継する。また、超小型無線基地局装置２は、携帯端末３から位置登録要求を受信した際には、ユーザ認証用データ（本発明ではトークンと呼ぶ）を元に位置登録もしくは拒絶し、コントローラ２２から通知される暗号化情報を用いて携帯端末３と無線通信にてデータの送受信を行う。
オーダリング端末２１は超小型無線基地局装置２とコントローラ２２に接続し、無線通信以外の通信方式、望ましくは近距離でのみ通信ができるような通信方式（例えば、赤外線通信方式やＩＣカードを用いた通信方式など）の機能を備え、無線通信以外の通信方式、望ましくは近距離でのみ通信ができるような通信方式（例えば、赤外線通信方式やＩＣカードを用いた通信方式など）の機能を備えた携帯端末３との間で、データ（トークン及び暗号化情報、端末情報）の送受信を行う。
コントローラ２２は超小型無線基地局装置２とオーダリング端末２１に接続し、超小型セル１２に接続する携帯端末３のトークンの作成・削除することでユーザ登録の制御を行い、携帯端末３と超小型無線基地局装置２間の送受信用暗号化情報の送受信をオーダリング端末２１経由で行う機能を有する。また、コントローラ２２は超小型無線基地局装置２と携帯端末３間の通信料金を管理する機能を有する。
ネットワーク接続機器２３は、超小型無線基地局装置２とインターネット網２４の間に位置し、携帯端末３とインターネット網２４の間にてデータを中継する。
携帯端末３は、携帯電話システムに対応した無線通信機能を用いて超小型無線基地局装置２とデータの送受信を行い、無線通信以外の通信方式、望ましくは近距離でのみ通信ができるような通信方式（例えば、赤外線通信方式やＩＣカードを用いた通信方式など）の機能を用いてオーダリング端末２１経由でコントローラ２２とトークンの受信および超小型無線基地局装置２との通信に用いる端末情報や暗号化情報の送受信を行う。
このようにして、本実施の形態に係る発明では、オーダリング端末２１から受信したトークンと無線通信の暗号化情報を元に、携帯端末３が超小型無線基地局装置２と通信を行うため、以下（１）〜（３）の効果が得られる。
（１）トークンを元に超小型セル１２に接続しようとしているユーザの許可・拒絶の判別ができる。また、ユーザでの超小型セル１２への位置登録作業の簡略化ができる。
（２）暗号化情報を無線通信を用いて送受信しないので、無線通信の秘匿性向上ができる。また、コントローラ２２より携帯端末３へ暗号化情報を通知するため、臨機応変に暗号化方法を変更することができ、さらなる無線通信の秘匿性向上を期待できる。
（３）小規模で安価なシステムを利用することができ、通信コストを削減することができる。
次に、図２に示したシステムにおけるユーザ認証処理の動作について図３〜図５に示すシーケンス図を使用して説明する。
まず、ホットスポットの利用手続きについて図３を用いて説明する。ユーザは、オーダリング端末２１にてホットスポットの利用手続きを行う。コントローラ２２はユーザからの利用要求４１を受信し、受入可能であればオーダリング端末２１に位置登録用のトークン４２を送信する。受入不可であれば、携帯端末３に拒絶通知４３を送信する。
ユーザは、携帯端末３の無線通信以外の通信方式、望ましくは近距離でのみ通信ができるような通信方式（例えば、赤外線通信方式やＩＣカードを用いた通信方式など）の機能にて、オーダリング端末２１から位置登録用のトークンを受信し、コントローラ２２に対してオーダリング端末２１経由でトークン受信完了通知４４を発行する。トークン受信完了通知には携帯端末３の端末情報も一緒に付加する。
コントローラ２２はトークン受信完了通知をトリガに、携帯端末３へオーダリング端末２１を経由して超小型無線基地局装置２から携帯端末３間の無線通信に用いる暗号化情報４５を送信する。必要に応じて、暗号化方式は毎回違う形式を設定するようにする。
無線通信に用いる暗号化情報を受信した携帯端末３は、コントローラ２２に対してオーダリング端末２１経由で暗号化情報受信完了通知４６を発行する。
コントローラ２２は暗号化情報受信完了通知をトリガに、登録手続完了通知４７をオーダリング端末２１経由で携帯端末３へ通知する。ホットスポット利用料金の精算形態が前払いである場合、この時点で、コントローラ２２はユーザに対して利用料金の課金処理４８を行う。以上にて、ホットスポットの利用手続きは完了となる。
次に携帯端末３の位置登録手続きについて図４を参照して説明する。
携帯端末３は自動で、もしくはユーザ契機により、超小型無線基地局装置２に対し、オーダリング端末２１にて受信したトークンを付けて、位置登録要求５１を発行する。
位置登録要求を受信した超小型無線基地局装置２は、受信データ内のトークンおよび端末情報をコントローラ２２内のデータベースとを照合５２し、一致した場合位置登録を行い、携帯端末３およびコントローラ２２に対し、位置登録完了５３を通知する。
位置登録が完了した携帯端末３と超小型無線基地局装置２は、利用手続き時にコントローラ２２から指定された暗号化情報を元に無線通信５４を行う。
最後に、ホットスポット利用終了手続きについて図５を参照して説明する。
携帯端末３は、超小型無線基地局装置２もしくはオーダリング端末２１経由でコントローラ２２に対し、利用終了要求６１を発行する。利用終了通知を受信したコントローラ２２は、携帯端末３の位置登録を解除とトークンおよび暗号化情報を無効化６２し、携帯端末３に対し、超小型無線基地局装置２もしくはオーダリング端末２１経由で、利用終了手続完了６３を通知する。
ホットスポット利用料金の精算形態が後払いである場合、この時点で、コントローラ２２はユーザに対して利用料金の課金処理６４を行う。なお、利用終了手続完了通知と一緒に利用料金も携帯端末３に対し通知する。利用終了手続完了通知を受信した携帯端末３は、トークンおよび暗号化情報を無効化し、ホットスポットとの通信を終了６５する。
次に、本発明の他の実施の形態について図６〜図９を参照して説明する。
本発明の他の実施の形態は、ユーザ認証に関わる基本的構成において上記した実施の形態と同様であるが、ネットワーク接続機器の接続先をインターネットからオフィスや家庭のイントラネットやＬＡＮに変更した点で相違する。
図６に、超小型セル１１２の詳細構成が示されている。超小型無線基地局装置１０２は高速無線通信に対応した無線基地局であり、認証端末１２１とコントローラ１２２に接続し、イントラネットもしくはＬＡＮへはネットワーク接続機器１２３経由で接続し、携帯端末３とイントラネットもしくはＬＡＮ１２４の間にてデータを中継する。また、超小型無線基地局装置１０２は、携帯端末３から位置登録要求を受信した際には、トークンを元に位置登録もしくは拒絶し、コントローラ１２２から通知される暗号化情報を用いて携帯端末３と無線通信にてデータの送受信を行う。
認証端末１２１は超小型無線基地局装置１０２とコントローラ１２２に接続し、無線通信以外の通信方式、望ましくは近距離でのみ通信ができるような通信方式（例えば、赤外線通信方式やＩＣカードを用いた通信方式など）の機能を備え、無線通信以外の通信方式（例えば、赤外線通信方式やＩＣカードを用いた通信方式など）の機能を備えた無線端末３との間で、データ（トークン及び端末情報、暗号化情報）の送受信を行う。
コントローラ１２２は超小型無線基地局装置１０２と認証端末１２１に接続し、超小型セル１１２に接続する携帯端末３のトークンの作成・削除することでユーザ登録の制御を行い、携帯端末３と超小型無線基地局装置１０２間の送受信用暗号化情報の送受信を認証端末１２１経由で行う機能を有する。また、コントローラ１２２はあらかじめ使用するユーザの登録情報を管理する機能を有する。
ネットワーク接続機器１２３は超小型無線基地局装置１０２とイントラネットもしくはＬＡＮ１２４の間に位置し、携帯端末３とイントラネットもしくはＬＡＮ１２４の間にてデータを中継する。
携帯端末３は、携帯電話システムに対応した無線通信機能を用いて超小型無線基地局装置１０２とデータの送受信を行い、無線通信以外の通信方式、望ましくは近距離でのみ通信ができるような通信方式（例えば、赤外線通信方式やＩＣカードを用いた通信方式など）の機能を用いて認証端末１２１経由でコントローラ１２２とトークンの受信および超小型無線基地局装置１０２との通信に用いる端末情報や暗号化情報の送受信を行う。
次に図６に示すワイヤレス通信ネットワークシステムにおけるユーザ認証の動作を、図７〜図９に示すシーケンス図を使用して説明する。まず、イントラネットもしくはＬＡＮ１２４の利用手続きについて図７を用いて説明する。
ユーザは、認証端末１２１にてイントラネットもしくはＬＡＮ１２４の利用手続きを行う。コントローラ１２２はユーザからの利用要求７１を受信し、ユーザの登録情報より受入可能であると判断すれば、認証端末１２１に位置登録用のトークン７２を送信する。受入不可であれば、携帯端末３に拒絶通知７３を送信する。
ユーザは、携帯端末３の無線通信以外の通信方式、望ましくは近距離でのみ通信ができるような通信方式（例えば、赤外線通信方式やＩＣカードを用いた通信方式など）の機能にて、認証端末１２１から位置登録用のトークンを受信し、コントローラ１２２に対して認証端末１２１経由でトークン受信完了通知７４を発行する。トークン受信完了通知には携帯端末３の端末情報も一緒に付加する。
コントローラ１２２はトークン受信完了通知をトリガに、携帯端末３へ認証端末１２１を経由して超小型無線基地局装置１０２から携帯端末３間の無線通信に用いる暗号化情報７５を送信する。必要に応じて、暗号化方式は毎回違う形式を設定するようにする。
無線通信に用いる暗号化情報を受信した携帯端末３は、コントローラ１２２に対して認証端末１２１経由で暗号化情報受信完了通知７６を発行する。コントローラ１２２は暗号化情報受信完了通知をトリガに、登録手続完了通知７７を認証端末１２１経由で携帯端末３へ通知する。以上にて、イントラネットもしくはＬＡＮ１２４の利用手続きは完了となる。
次に携帯端末３の位置登録手続きについて図８を参照して説明する。
携帯端末３は自動で、もしくはユーザ契機により、超小型無線基地局装置１０２に対し、認証端末１２１にて受信したトークンを付けて、位置登録要求８１を発行する。
位置登録要求を受信した超小型無線基地局装置１０２は、受信データ内のトークンおよび端末情報をコントローラ１２２内のデータベースとを照合８２し、一致した場合位置登録を行い、携帯端末３およびコントローラ１２２に対し、位置登録完了８３を通知する。位置登録が完了した携帯端末３と超小型無線基地局装置１０２は、利用手続き時にコントローラ１２２から指定された暗号化情報を元に無線通信８４を行う。
最後に、イントラネットもしくはＬＡＮ１２４利用終了手続きについて図９を用いて説明する。
帯端末３は、超小型無線基地局装置１０２もしくは認証端末１２１経由でコントローラ１２２に対し、利用終了要求９１を発行する。利用終了通知を受信したコントローラ１２２は、携帯端末３の位置登録を解除とトークンおよび暗号化情報を無効化９２し、携帯端末３に対し、超小型無線基地局装置１０２もしくは認証端末１２１経由で、利用終了手続完了９３を通知する。
利用終了手続完了通知を受信した携帯端末３は、トークンおよび暗号化情報を無効化し、イントラネットもしくはＬＡＮ１２４の通信を終了９４する。
このように、本実施の形態では、先に挙げた実施の形態における効果以外にも、イントラネットもしくはＬＡＮ１２４との接続に使用する携帯端末は、セルラー携帯電話システムと同じ携帯端末を使用することができ、外出する際に複数の端末を持ち歩く必要がないという効果も得られる。
また、上記したインターネット網２４を介して携帯端末３と超小型無線基地局装置１との間に構築されるワイヤレス通信ネットワークシステムにおける通信サービス提供方法をコンピュータに実行させるためのコンピュータプログラムを記録した記録媒体を備えてもよい。尚、本通信サービス提供方法を実行させるためのコンピュータプログラムを提供する提供媒体としては、様々な形式のコンピュータに読み出し可能な媒体として頒布可能であって、特定のタイプの媒体に限定されるものではない。例えばこの記録媒体は可搬形あるいは固定型のいずれであってもよく、コンパクトディスク、フレキシブルディスク、ハードディスク、光磁気ディスク、ディジタルビデオディスク、磁気テープ、または、半導体メモリを含むその他の記録媒体であってもよい。
この通信サービス提供プログラムは前記記録媒体から携帯端末３、超小型無線基地局装置１、コントローラ２２に読み込まれ、携帯端末３、超小型無線基地局装置１、コントローラ２２の処理を制御し、上記したワイヤレス通信ネットワークシステムによる処理と同一の処理を実行する。
インターネット網１２４を介して携帯端末３と超小型無線基地局装置１０２との間に構築されるワイヤレス通信ネットワークシステムにおける通信サービス提供方法をコンピュータに実行させるためのコンピュータプログラムについても上記同様である。
また、上記した各実施の形態は、本発明を好適に実施した形態の一例に過ぎず、本発明は、その主旨を逸脱しない限り、種々変形して実施することが可能なものである。
本発明に係るワイヤレス通信ネットワークシステム、当該システムにおける通信サービス提供方法、プログラム、及び記録媒体おいては、以下に記載するような効果が得られる。
第１の効果は、ホットスポットを利用する際に事前に会員登録をする必要がなく、また認証時にユーザ自身の作業量が少なく、手軽に利用できることである。
第２の効果は、ホットスポットのような小規模で安価なシステムを利用することで、通信コストを削減することができることである。
第３の効果は、無線通信以外の通信方式、望ましくは近距離でのみ通信ができるような通信方式（例えば、赤外線通信方式やＩＣカードを用いた通信方式など）を用いてユーザ認証データや端末情報、暗号化情のやりとりを行うため、第三者へ暗号化情報を漏洩する可能性が低くなり、通信の秘匿性を向上させることができることである。
第４の効果は、超小型無線セルに接続するユーザをホットスポット側で制御できるため、ユーザ増加や干渉による通信品質の劣化を抑えることができることである。
【図１】
0004375575.tif 000002
【図２】
0004375575.tif 000003
【図３】
0004375575.tif 000004
【図４】
0004375575.tif 000005
【図５】
0004375575.tif 000006
【図６】
0004375575.tif 000007
【図７】
0004375575.tif 000008
【図８】
0004375575.tif 000009
【図９】
0004375575.tif 000010